(57)【要約】    【課題】  補助眼鏡を眼鏡本体に容易に着脱させることができることは勿論のこと、ユーザーが運動している時でも補助眼鏡が眼鏡本体から脱落することを防止可能な着脱式眼鏡を提供する。    【解決手段】  眼鏡本体１０と、眼鏡本体１０に着脱可能に装着される補助眼鏡５０を備え、眼鏡本体１０のヨロイ１５Ｌ（１５Ｒ）又は補助眼鏡５０のヨロイ５５Ｌ（５５Ｒ）いずれか一方の少なくとも一部が磁性体材料からなり、他方のヨロイの少なくとも前記磁性体材料と接触可能となる位置に磁石５８Ｌが取付けられ、眼鏡本体１０又は補助眼鏡５０の少なくとも一方に、眼鏡本体１０に補助眼鏡５０を係止させる係止部を形成した。【選択図】    図３  
2005031553.tif 000002
【特許請求の範囲】
【請求項１】
眼鏡本体と、当該眼鏡本体に着脱可能に装着される補助眼鏡と、を備え、前記眼鏡本体のヨロイに、前記補助眼鏡のヨロイを固定して、前記眼鏡本体に補助眼鏡を装着させる着脱式眼鏡であって、
前記眼鏡本体のヨロイまたは補助眼鏡のヨロイのいずれか一方の少なくとも一部が磁性体材料からなり、他方のヨロイの少なくとも前記磁性体材料と接触可能となる位置に磁石が取付けられてなり、
前記眼鏡本体または前記補助眼鏡の少なくとも一方に、当該眼鏡本体に当該補助眼鏡を装着させた際に、当該眼鏡本体に前記補助眼鏡を係止させる係止部を形成した着脱式眼鏡。
【請求項２】
前記眼鏡本体のヨロイの少なくとも一部が磁性体材料からなり、前記補助眼鏡のヨロイの少なくとも前記磁性体材料と接触可能となる位置に磁石が取付けられてなる請求項１記載の着脱式眼鏡。
【請求項３】
前記補助眼鏡のヨロイに前記係止部が形成されてなり、当該係止部が前記眼鏡本体のヨロイに着脱可能に係合する請求項１または請求項２記載の着脱式眼鏡。
【請求項４】
前記眼鏡本体のヨロイ及び前記補助眼鏡のヨロイの両方に前記係止部を形成してなり、当該両係止部が互いに着脱可能に係合し合う請求項１または請求項２記載の着脱式眼鏡。
【請求項５】
前記係止部が、前記眼鏡本体に対し前記補助眼鏡を所定の装着位置に誘導するガイド部を備えてなる請求項１ないし請求項４のいずれか一項に記載の着脱式眼鏡。
【請求項６】
前記補助眼鏡のヨロイに形成された係止部に、前記磁石を取付けてなる請求項３ないし請求項５のいずれか一項に記載の着脱式眼鏡。
【請求項７】
前記ヨロイの少なくとも磁石が取付けられた位置に樹脂膜を形成してなる請求項１ないし請求項６のいずれか一項に記載の着脱式眼鏡。
【請求項８】
請求項１ないし請求項７のいずれか一項に記載の着脱式眼鏡を構成する眼鏡本体。
【請求項９】
請求項１ないし請求項７のいずれか一項に記載の着脱式眼鏡を構成する補助眼鏡。
【発明の詳細な説明】
【技術分野】
【０００１】
本発明は、眼鏡本体に補助眼鏡を着脱可能に装着する着脱式眼鏡、及びこの着脱式眼鏡を構成する眼鏡本体、並びに補助眼鏡に関する。
【背景技術】
【０００２】
従来から、この種の着脱式眼鏡として、例えば、サングラスや補助用度付きレンズ等の補助眼鏡にフックを設け、このフックを眼鏡本体に掛けるようにして、補助眼鏡を眼鏡本体に着脱可能に装着できるようにしたものが存在する。また、補助眼鏡と眼鏡本体にそれぞれ磁石を設け、必要な時に補助眼鏡を眼鏡本体に磁石によって固定し、その後、補助眼鏡を眼鏡本体から取り外せるようにしたものが存在する。
【０００３】
しかしながら、前記従来の着脱式眼鏡では、補助眼鏡を眼鏡本体に掛けているだけであるか、或いは両者を磁力によって付けているだけなので、例えば、この着脱式眼鏡を掛けているユーザーが運動している際に、不意に補助眼鏡が眼鏡本体から脱落する等の虞れがあった。
【０００４】
また、磁石によって眼鏡本体に補助眼鏡を固定する構成の着脱式眼鏡は、眼鏡本体に補助眼鏡のそれぞれに磁石を設けているため、製造工程が増える、デザインに制限が生じる、磁極（Ｎ、Ｓ）の管理が必要である等、解決すべき点があった。
【０００５】
そこで、相互が連結された左右のレンズ部の外側部に設けた連結部に、蝶番を介してテンプルを開閉可能に連結してなる眼鏡本体に、補助眼鏡を、磁気吸着により着脱自在に取り付けた構成の着脱式眼鏡が紹介されている。この着脱式眼鏡は、前記蝶番を構成する雄ネジのネジ頭に磁石を設け、補助眼鏡の補助レンズ部の外側部に設けた取付部の先端に、磁性部を設けた構成を備えており、左右の補助レンズ部が左右のレンズ部をその前面側から覆った状態において、前記磁石と磁性部とを互いに吸着させ、これにより補助眼鏡を眼鏡本体に取り付けるものである。（例えば、特許文献１参照）。
【特許文献１】特開２００２−２６８０１８号公報
【発明の開示】
【発明が解決しようとする課題】
【０００６】
前記眼鏡本体側に磁石を設け、補助眼鏡側に磁性部を設けた着脱式眼鏡は、眼鏡本体に補助眼鏡の各々に磁石を設けた着脱式眼鏡と違い、磁極（Ｎ、Ｓ）の管理が必要なく、補助眼鏡側のデザインの制限が緩和されるという利点がある。しかしながら、磁石と磁性部とを互いに吸着させ、これにより補助眼鏡を眼鏡本体に取り付ける構成であるため、この着脱式眼鏡を掛けているユーザーが運動している際に、不意に補助眼鏡が眼鏡本体から脱落することを防止する改良を行う必要がある。
【０００７】
本発明は、このような従来の着脱式眼鏡を改良することを課題とするものであり、補助眼鏡を眼鏡本体に容易に着脱させることができることは勿論のこと、ユーザーが運動している時でも補助眼鏡が眼鏡本体から脱落することを防止可能な着脱式眼鏡を提供することを目的とする。
【０００８】
また、この着脱式眼鏡のための眼鏡本体及び補助眼鏡を提供することを目的とする。
【課題を解決するための手段】
【０００９】
この目的を達成するため、本発明は、眼鏡本体と、当該眼鏡本体に着脱可能に装着される補助眼鏡と、を備え、前記眼鏡本体のヨロイに、前記補助眼鏡のヨロイを固定して、前記眼鏡本体に補助眼鏡を装着させる着脱式眼鏡であって、前記眼鏡本体のヨロイまたは補助眼鏡のヨロイのいずれか一方の少なくとも一部が磁性体材料からなり、他方のヨロイの少なくとも前記磁性体材料と接触可能となる位置に磁石が取付けられてなり、前記眼鏡本体または前記補助眼鏡の少なくとも一方に、当該眼鏡本体に当該補助眼鏡を装着させた際に、当該眼鏡本体に前記補助眼鏡を係止させる係止部を形成した着脱式眼鏡を提供するものである。
【００１０】
この構成を備えた着脱式眼鏡は、眼鏡本体のヨロイまたは補助眼鏡のヨロイのいずれか一方の少なくとも一部が、前記磁石に吸着される磁性体材料から形成されているため、磁極（Ｎ、Ｓ）の管理が必要ないと共に、デザインの制限を緩和することができる。また、製造工程を少なくすることができ、製造コストを削減することができる。さらに、磁性体材料には、異物が付着し難い、腐食し難い、磁石より軽量である等の利点があり、また、磁石を取付けていないため、磁着が取れる心配もない。
【００１１】
そしてまた、この構成を備えた着脱式眼鏡は、眼鏡本体または前記補助眼鏡の少なくとも一方に、当該眼鏡本体に当該補助眼鏡を装着させた際に、当該眼鏡本体に前記補助眼鏡を係止させる係止部が形成されているため、ユーザーが運動している時でも補助眼鏡が眼鏡本体から脱落することを防止することができる。
【００１２】
また、本発明にかかる着脱式眼鏡は、前記眼鏡本体のヨロイの少なくとも一部が磁性体材料から構成し、前記補助眼鏡のヨロイの少なくとも前記磁性体材料と接触可能となる位置に磁石を取付けた構成を備えることができる。
【００１３】
この構成にすれば、補助眼鏡を眼鏡本体から取外した際に、眼鏡本体には磁石が設けられていないので、美観を向上させることができる。また、眼鏡本体に、磁石を用いた装飾品を取付けたり、レンズをリム（レンズ縁）に固定するために当該リムに設けられるブロー智をヨロイの裏側に取付けることもできる。さらに、眼鏡本体を軽量化することができる。
【００１４】
また、本発明にかかる着脱式眼鏡は、前記補助眼鏡のヨロイに前記係止部が形成されてなり、当該係止部が前記眼鏡本体のヨロイに着脱可能に係合する構成とすることもできる。
【００１５】
さらにまた、本発明にかかる着脱式眼鏡は、前記眼鏡本体のヨロイ及び前記補助眼鏡のヨロイの両方に前記係止部を形成してなり、当該両係止部が互いに着脱可能に係合し合う構成とすることもできる。
【００１６】
そしてまた、前記係止部は、前記眼鏡本体に対し前記補助眼鏡を所定の装着位置に誘導するガイド部を備えることができる。このガイド部を備えることにより、前記利点に加え、前記補助眼鏡を眼鏡本体の所望位置に簡単に位置決めすることができ、補助眼鏡を眼鏡本体により簡単に装着することができる。
【００１７】
また、本発明にかかる着脱式眼鏡は、前記補助眼鏡のヨロイに形成された係止部に、前記磁石を取付けてもよい。
【００１８】
さらにまた、本発明にかかる着脱式眼鏡は、前記ヨロイの少なくとも磁石が取付けられた位置に樹脂膜を形成してもよい。このように構成することにより、前記利点に加え、眼鏡本体のヨロイを構成する材料と、補助眼鏡のヨロイを構成する材料同士が擦れ合うことを防止することができる。したがって、例えば、前記ヨロイにメッキ仕上げがなされていたとしても、メッキがはげることを防止することもできる。
【００１９】
また、本発明は、前述した着脱式眼鏡を構成する眼鏡本体を提供するものである。
【００２０】
そしてまた、本発明は、前述した着脱式眼鏡を構成する補助眼鏡を提供するものである。
【発明の効果】
【００２１】
本発明によれば、眼鏡本体のヨロイまたは補助眼鏡のヨロイのいずれか一方の少なくとも一部が、前記磁石に吸着される磁性体材料から形成されているため、磁極（Ｎ、Ｓ）の管理が必要ないと共に、デザインの制限を緩和することができる。また、製造工程を少なくすることができ、製造コストを削減することができる。さらに、磁性体材料には、異物が付着し難い、腐食し難い、磁石より軽量である等の利点があり、また、磁石を取付けていないため、磁着が取れる心配もない。また、補助眼鏡を眼鏡本体に容易に着脱させることができることは勿論のこと、ユーザーが運動している時でも補助眼鏡が眼鏡本体から脱落することを防止可能な着脱式眼鏡を提供することができる。
【発明を実施するための最良の形態】
【００２２】
次に、本発明の好適な実施例にかかる着脱式眼鏡について図面を参照して説明する。なお、以下に記載される実施例は、本発明を説明するための例示であり、本発明をこれらの実施形態にのみ限定するものではない。したがって、本発明は、その要旨を逸脱しない限り、様々な形態で実施することができる。
【実施例１】
【００２３】
図１は、本発明の実施例１にかかる着脱式眼鏡の斜視図であって、眼鏡本体から補助眼鏡を取外した状態を示す図、図２は、本発明の実施例１にかかる着脱式眼鏡の斜視図であって、眼鏡本体に補助眼鏡を装着した状態を示す図、図３は、図１に示す着脱式眼鏡の左側の一部を拡大して示す斜視図である。
【００２４】
なお、着脱式眼鏡は左右対称であるから、図３では、左側にある部品について記載し、右側にある同様の部品については、ＬをＲと読み替えるものとし、その記載は省略してある。
【００２５】
図１〜図３に示すように、実施例１にかかる着脱式眼鏡１は、眼鏡本体１０と、眼鏡本体１０に着脱可能に装着される補助眼鏡５０と、を備えて構成されている。
【００２６】
眼鏡本体１０は、左右のリム１１Ｌ及び１１Ｒに、レンズ１２Ｌ及び１２Ｒを各々装着させた左右のレンズ部１３Ｌ及び１３Ｒと、レンズ部１３Ｌ及び１３Ｒの内側部位同士を連結するブリッジ１４と、レンズ部１３Ｌ及び１３Ｒの外側部位に各々設けられたヨロイ１５Ｌ及び１５Ｒと、ヨロイ１５Ｌ及び１５Ｒの後端部分にヒンジ１６Ｌ及び１６Ｒを介して各々取付けられたテンプル１７Ｌ及び１７Ｒと、を備えている。
【００２７】
ヨロイ１５Ｌ及び１５Ｒは、磁性体材料（本実施例では、フェライト系ステンレス鋼を使用した）からなり、側方に突出し且つ後方に屈曲するＬ字状を備えている。このヨロイ１５Ｌ及び１５Ｒには、後に詳述する補助眼鏡５０の左右のヨロイ５５Ｌ及び５５Ｒが各々係合するよう構成されている。
【００２８】
補助眼鏡５０は、左右のリム５１Ｌ及び５１Ｒに、レンズ５２Ｌ及び５２Ｒを各々装着させた左右の補助レンズ部５３Ｌ及び５３Ｒと、補助レンズ部５３Ｌ及び５３Ｒの内側部位同士を連結するブリッジ５４と、補助レンズ部５３Ｌ及び５３Ｒの外側部位に各々設けられたヨロイ５５Ｌ及び５５Ｒと、を備えている。
【００２９】
補助レンズ部５３Ｌ及び５３Ｒは、眼鏡本体１０の左右のレンズ部１３Ｌ及び１３Ｒをその前面側から覆うことができるよう構成されている。
【００３０】
以下、ヨロイ５５Ｌ及び５５Ｒは左右対称であるから、実施例１ではヨロイ５５Ｌについて説明し、ヨロイ５５Ｒについては、符号のＬをＲに読み替えることとし、その説明は省略する。
【００３１】
ヨロイ５５Ｌは、特に図３に示すように、略長方体形状を備えており、眼鏡本体１０のヨロイ１５Ｌの前面と対向する部分には、眼鏡本体１０のヨロイ１５Ｌが各々嵌合可能な溝５６Ｌが形成されている。この溝５６Ｌの底面５７Ｌには、眼鏡本体１０に補助眼鏡５０を装着させた際に、眼鏡本体１０のヨロイ１５Ｌを吸着する磁石５８Ｌが、底面５７Ｌから露出された状態で埋設されている。
【００３２】
また、溝５６Ｌを画定する対向した側壁５９Ｌ及び６０Ｌは、眼鏡本体１０のヨロイ１５Ｌを、図３でいう上下方向に挟むことにより、補助眼鏡５０を眼鏡本体１０に係止させる係止部の役割を果たしている。また、ヨロイ５５Ｌのリム５１Ｌ側の端面６１Ｌは、眼鏡本体１０に補助眼鏡５０を装着させた際に、眼鏡本体１０のリム１１Ｌのヨロイ１５Ｌ側の端面に当接するよう構成されており、これによって、補助眼鏡５０は、眼鏡本体１０に位置合わせされる。すなわち、ヨロイ５５Ｌの端面６１Ｌは、眼鏡本体１０に対し補助眼鏡５０を所定の装着位置に誘導するガイド部の役割を果たしている。
【００３３】
この構成を備えた着脱式眼鏡１において、補助眼鏡５０を眼鏡本体１０に装着させる際は、先ず、補助眼鏡５０の補助レンズ部５３Ｌが、眼鏡本体１０のレンズ部１３Ｌをその前面側から覆うように、補助眼鏡５０を眼鏡本体１０に当てがい、眼鏡本体１０のヨロイ１５Ｌに補助眼鏡５０のヨロイ５５Ｌに形成された溝５６Ｌを嵌合させる。この時、ヨロイ５５Ｌの端面６１Ｌが、眼鏡本体１０のリム１１Ｌのヨロイ１５Ｌ側の端面に当接し、補助眼鏡５０は所望位置に誘導される。また、磁石５８Ｌが、ヨロイ１５Ｌを吸着する。さらに、ヨロイ５５Ｌの側壁５９Ｌ及び６０Ｌが、眼鏡本体１０のヨロイ１５Ｌを、図３でいう上下方向に挟んだ状態となる。したがって、補助眼鏡５０は、磁石５８Ｌのヨロイ１５Ｌに対する吸着と、側壁５９Ｌ及び６０Ｌによる係止によって、眼鏡本体１０に確実に安定して取付けられることになる。
【００３４】
なお、ヨロイ５５Ｌの溝５７Ｌ内には、樹脂等を薄く塗布する等して、樹脂膜を形成してもよい。このようにすることで、眼鏡本体１０のヨロイ１５Ｌの表面と、補助眼鏡５０の溝５６Ｌの内面とが擦れ合うことを防止することができ、例えば、ヨロイ１５Ｌやヨロイ５５Ｌにメッキ仕上げがなされていたとしても、メッキがはげることを防止することもできる。
【００３５】
また、実施例１では、補助眼鏡５０のヨロイ５５Ｌに磁石５８Ｌを設けたため、眼鏡本体１０は、磁石の存在によってそのデザインが制限されることがなく、美観が向上し、軽量化することもできた。また、眼鏡本体１０のヨロイ１５Ｌの表面にゴミ等の異物が付着することを防止することもできる。さらに、ヨロイ１５Ｌの裏側に、ブロー智を設けたり、磁石を利用した他の装飾品を取付けることもできる。
【００３６】
なお、実施例１では、眼鏡本体１０のヨロイ１５Ｌの全体を磁性体材料から形成した場合について説明したが、これに限らず、ヨロイ１５Ｌ少なくとも一部が磁性体材料から構成されていればよい。
【００３７】
また、実施例１では、磁性体材料として、フェライト系ステンレス鋼を使用した場合について説明したが、これに限らず、磁性体材料としては、例えば、鉄、マルテンサイト系ステンレス鋼、ニッケル等、種々の金属、またはこれらの合金等、磁石によって吸着されるものであれば、特に限定されるものではない。
【００３８】
そしてまた、実施例１では、補助眼鏡５０のヨロイ５５Ｌの少なくとも一部を磁性体材料から構成し、眼鏡本体１０のヨロイ１５Ｌの少なくとも前記磁性体材料と接触可能となる位置に磁石を取付けた構成としてもよい。
【実施例２】
【００３９】
次に、本発明の実施例２にかかる着脱式眼鏡について図面を参照して説明する。
【００４０】
図４は、本発明の実施例２にかかる着脱式眼鏡の左側の一部を拡大して示す斜視図である。
【００４１】
なお、着脱式眼鏡は左右対称であるから、図４では、左側にある部品について記載し、右側にある同様の部品については、ＬをＲと読み替えるものとし、その記載は省略してある。同様に、眼鏡本体及び補助眼鏡は、は左右対称であるから、実施例２では、左側について説明し、右側については、符号のＬをＲに読み替えることとし、その説明は省略する。また、実施例２では、実施例１で説明した部品と同様の部品には、同一の符号を付し、その詳細な説明は省略する。
【００４２】
実施例２にかかる着脱式眼鏡２の、実施例１にかかる着脱式眼鏡１と異なる点は、眼鏡本体１０のヨロイ１５Ｌの上面と対向する部分に、眼鏡本体１０のヨロイ１５Ｌが嵌合可能な溝６６Ｌを形成した点である。
【００４３】
すなわち、実施例２にかかる着脱式眼鏡２は、眼鏡本体１０と、眼鏡本体１０に着脱可能に装着される補助眼鏡５０と、を備えて構成されている。この補助眼鏡５０のヨロイ５５Ｌの、眼鏡本体１０のヨロイ１５Ｌの上面と対向する部分には、眼鏡本体１０のヨロイ１５Ｌが嵌合可能な溝６６Ｌが形成されている。この溝６６Ｌを画定する前面側の側壁６７Ｌには、眼鏡本体１０に補助眼鏡５０を装着させた際に、眼鏡本体１０のヨロイ１５Ｌを吸着する磁石５８Ｌが、側壁６７Ｌから露出された状態で埋設されている。
【００４４】
また、側壁６７Ｌと、これに対向配置されている側壁６８Ｌは、眼鏡本体１０のヨロイ１５Ｌを、図４でいう上方向から嵌合して、図４でいう前後面方向に挟むことにより、補助眼鏡５０を眼鏡本体１０に係止させる係止部の役割を果たしている。さらにまた、ヨロイ５５Ｌの端面６１Ｌは、眼鏡本体１０に補助眼鏡５０を装着させた際に、眼鏡本体１０のリム１１Ｌのヨロイ１５Ｌ側の端面に当接するよう構成されており、これによって、補助眼鏡５０は、眼鏡本体１０に位置合わせされる。すなわち、ヨロイ５５Ｌの端面６１Ｌは、眼鏡本体１０に対し補助眼鏡５０を所定の装着位置に誘導するガイド部の役割を果たしている。
【００４５】
この着脱式眼鏡２は、実施例１と同様に、補助眼鏡５０を眼鏡本体１０に装着させる際に、眼鏡本体１０のヨロイ１５Ｌに補助眼鏡５０のヨロイ５５Ｌに形成された溝６６Ｌを嵌合させると、補助眼鏡５０は所望位置に誘導されると共に、磁石５８Ｌがヨロイ１５Ｌを吸着する。さらに、ヨロイ５５Ｌの側壁６７Ｌ及び６８Ｌが、眼鏡本体１０のヨロイ１５Ｌの図４でいう上面、前面、後面を挟んだ状態となる。したがって、補助眼鏡５０は、磁石５８Ｌのヨロイ１５Ｌに対する吸着と、側壁６７Ｌ及び６８Ｌによる係止によって、眼鏡本体１０に確実に安定して取付けられることになる。
【００４６】
なお、ヨロイ５５Ｌの溝６７Ｌ内には、実施例１と同様に、樹脂等を薄く塗布する等して、樹脂膜を形成してもよい。
【実施例３】
【００４７】
次に、本発明の実施例３にかかる着脱式眼鏡について図面を参照して説明する。
【００４８】
図５は、本発明の実施例３にかかる着脱式眼鏡の左側の一部を拡大して示す斜視図である。
【００４９】
なお、着脱式眼鏡は左右対称であるから、図５では、左側にある部品について記載し、右側にある同様の部品については、ＬをＲと読み替えるものとし、その記載は省略してある。同様に、眼鏡本体及び補助眼鏡は、は左右対称であるから、実施例３では、左側について説明し、右側については、符号のＬをＲに読み替えることとし、その説明は省略する。また、実施例３では、前述した実施例１で説明した部品と同様の部品には、同一の符号を付し、その詳細な説明は省略する。
【００５０】
実施例３にかかる着脱式眼鏡３の、実施例１にかかる着脱式眼鏡１と異なる点は、補助眼鏡５０のヨロイ５５Ｌの、眼鏡本体１０のヨロイ１５Ｌの上面及び前面と対向する部分に、眼鏡本体１０のヨロイ１５Ｌが係合可能な切欠き７６Ｌを形成した点である。
【００５１】
すなわち、実施例３にかかる着脱式眼鏡３は、眼鏡本体１０と、眼鏡本体１０に着脱可能に装着される補助眼鏡５０と、を備えて構成されている。この補助眼鏡５０の眼鏡本体１０のヨロイ１５Ｌの上面及び前面と対向する部分には、切欠き７６Ｌが形成されている。補助眼鏡５０のヨロイ５５Ｌの切欠き７６Ｌを画定する一方の側壁７７Ｌ（ヨロイ１５Ｌの前面に対向する側壁）には、眼鏡本体１０に補助眼鏡５０を装着させた際に、眼鏡本体１０のヨロイ１５Ｌを吸着する磁石５８Ｌが、側壁７７Ｌから露出された状態で埋設されている。
【００５２】
また、切欠き７６Ｌを画定する上面側の側壁７８Ｌと、側壁７７は、眼鏡本体１０のヨロイ１５Ｌを、図５でいう上面方向及び前面方向から挟むことにより、補助眼鏡５０を眼鏡本体１０に係止させる係止部の役割を果たしている。さらにまた、ヨロイ５５Ｌの端面６１Ｌは、眼鏡本体１０に補助眼鏡５０を装着させた際に、眼鏡本体１０のリム１１Ｌのヨロイ１５Ｌ側の端面に当接するよう構成されており、これによって、補助眼鏡５０は、眼鏡本体１０に位置合わせされる。すなわち、ヨロイ５５Ｌの端面６１Ｌは、眼鏡本体１０に対し補助眼鏡５０を所定の装着位置に誘導するガイド部の役割を果たしている。
【００５３】
この着脱式眼鏡３は、実施例１と同様に、補助眼鏡５０を眼鏡本体１０に装着させる際に、眼鏡本体１０のヨロイ１５Ｌに補助眼鏡５０のヨロイ５５Ｌに形成された切欠き７６Ｌを係合させると、補助眼鏡５０が所望位置に誘導されると共に、磁石５８Ｌがヨロイ１５Ｌを吸着する。さらに、ヨロイ５５Ｌの側壁７７Ｌ及び７８Ｌが、眼鏡本体１０のヨロイ１５Ｌの図５でいう上面及び前面を挟んだ状態となる。したがって、補助眼鏡５０は、磁石５８Ｌのヨロイ１５Ｌに対する吸着と、側壁７７Ｌ及び７８Ｌによる係止によって、眼鏡本体１０に確実に安定して取付けられることになる。
【００５４】
なお、ヨロイ５５Ｌに形成された側壁７７Ｌ及び７８Ｌの切欠き７７Ｌ側の面には、実施例１と同様に、樹脂等を薄く塗布する等して、樹脂膜を形成してもよい。
【実施例４】
【００５５】
次に、本発明の実施例４にかかる着脱式眼鏡について図面を参照して説明する。
【００５６】
図６は、実施例４にかかる着脱式眼鏡の左側の一部を拡大して示す斜視図である。
【００５７】
なお、着脱式眼鏡は左右対称であるから、図６では、左側にある部品について記載し、右側にある同様の部品については、ＬをＲと読み替えるものとし、その記載は省略してある。同様に、眼鏡本体及び補助眼鏡は、は左右対称であるから、実施例４では、左側について説明し、右側については、符号のＬをＲに読み替えることとし、その説明は省略する。また、実施例４では、実施例１で説明した部品と同様の部品には、同一の符号を付し、その詳細な説明は省略する。
【００５８】
実施例４にかかる着脱式眼鏡４の、実施例１にかかる着脱式眼鏡１と異なる点は、補助眼鏡５０のヨロイ５５Ｌ、及び眼鏡本体１０のヨロイ１５Ｌの両方に、係止部及びガイド部としての機能を持たせた点である。
【００５９】
すなわち、実施例４にかかる着脱式眼鏡４は、眼鏡本体１０と、眼鏡本体１０に着脱可能に装着される補助眼鏡５０と、を備えて構成されている。
【００６０】
眼鏡本体１０のヨロイ１５Ｌの前面には、上下に平行な溝２５Ｌ及び２６Ｌが形成されている。一方、補助眼鏡５０のヨロイ５５Ｌの、眼鏡本体１０のヨロイ１５Ｌの前面と対向する部分には、溝２５Ｌ及び２６Ｌに嵌合可能な凸部８５Ｌ及び８６Ｌが形成されている。そして、この凸部８５Ｌ及び８６Ｌが溝２５Ｌ及び２６Ｌに各々嵌合されることにより、補助眼鏡５０は眼鏡本体１０に係止される。即ち、溝２５Ｌ及び２６Ｌと、凸部８５Ｌ及び８６Ｌとによって、係止部の役割を果たしている。
【００６１】
また、ヨロイ５５Ｌの、凸部８５Ｌと８６Ｌとの間には、眼鏡本体１０に補助眼鏡５０を装着させた際に、眼鏡本体１０のヨロイ１５Ｌを吸着する磁石５８Ｌが、ヨロイ５５Ｌの表面から露出された状態で埋設されている。
【００６２】
さらにまた、凸部８５Ｌ及び８６Ｌの外側端面８７Ｌ及び８８Ｌは、溝２５Ｌ及び２６Ｌに嵌合される際に、溝２５Ｌ及び２６Ｌのテンプル１７Ｌ側の端面に当接し、補助眼鏡５０は、眼鏡本体１０に位置合わせされる。すなわち、端面８７Ｌ及び８８Ｌは、眼鏡本体１０に対し補助眼鏡５０を所定の装着位置に誘導するガイド部の役割を果たしている。
【００６３】
この構成を備えた着脱式眼鏡４は、補助眼鏡５０を眼鏡本体１０に装着させる際に、眼鏡本体１０のヨロイ１５Ｌに形成された溝２５Ｌに、補助眼鏡５０のヨロイ５５Ｌに形成された凸部８５Ｌ及び８６Ｌを嵌合させると、補助眼鏡５０は所望位置に誘導されながら、眼鏡本体１０に係止されると共に、磁石５８Ｌがヨロイ１５Ｌを吸着する。したがって、補助眼鏡５０は、眼鏡本体１０に確実に安定して取付けられることになる。
【００６４】
なお、ヨロイ５５Ｌの磁石５８Ｌの表面には、前記と同様に、樹脂等を薄く塗布する等して、樹脂膜を形成してもよい。
【００６５】
なお、実施例４では、眼鏡本体１０のヨロイ１５Ｌに溝２５Ｌ及び２６Ｌを形成し、補助眼鏡５０のヨロイ５５Ｌに、溝２５Ｌ及び２６Ｌに嵌合される凸部８５Ｌ及び８６Ｌを形成した場合について説明したが、これに限らず、補助眼鏡５０のヨロイ５５Ｌに溝２５Ｌ及び２６Ｌを形成し、眼鏡本体１０のヨロイ１５Ｌに、溝２５Ｌ及び２６Ｌに嵌合される凸部８５Ｌ及び８６Ｌを形成してもよい。
【００６６】
また、実施例４では、眼鏡本体１０のヨロイ１５Ｌに２つの溝２５Ｌ及び２６Ｌを形成し、補助眼鏡５０のヨロイ５５Ｌに、溝２５Ｌ及び２６Ｌに嵌合可能な凸部８５Ｌ及び８６Ｌを形成した場合について説明したが、これに限らず、例えば、図７に示すように、眼鏡本体１０のヨロイ１５Ｌに１つの溝２７Ｌを形成し、補助眼鏡５０のヨロイ５５Ｌに、溝２７Ｌに嵌合可能な凸部８９Ｌを形成してもよい。この場合、凸部８９Ｌを磁石で構成してもよい。また、凸部８９Ｌの外側端面９０Ｌは、溝２７Ｌに嵌合される際に、溝２７Ｌのテンプル１７Ｌ側の端面に当接して、眼鏡本体１０に対し補助眼鏡５０を所定の装着位置に誘導するガイド部の役割を果たす。
【実施例５】
【００６７】
次に、本発明の実施例５にかかる着脱式眼鏡について図面を参照して説明する。
【００６８】
図８は、本発明の実施例５にかかる着脱式眼鏡を構成する眼鏡本体の左側の一部を示す斜視図、図９は、実施例５にかかる着脱式眼鏡の左側の一部を拡大して示す斜視図である。
【００６９】
なお、着脱式眼鏡は左右対称であるから、図８及び図９では、左側にある部品について記載し、右側にある同様の部品については、ＬをＲと読み替えるものとし、その記載は省略してある。同様に、眼鏡本体及び補助眼鏡は、は左右対称であるから、実施例５では、左側について説明し、右側については、符号のＬをＲに読み替えることとし、その説明は省略する。また、実施例５では、実施例１で説明した部品と同様の部品には、同一の符号を付し、その詳細な説明は省略する。
【００７０】
実施例５にかかる着脱式眼鏡５の、実施例１にかかる着脱式眼鏡１と異なる点は、補助眼鏡５０のヨロイ５５Ｌ、及び眼鏡本体１０のヨロイ１５Ｌの両方に、係止部及びガイド部としての機能を持たせた点である。
【００７１】
すなわち、実施例５にかかる着脱式眼鏡５は、眼鏡本体１０と、眼鏡本体１０に着脱可能に装着される補助眼鏡５０と、を備えて構成されている。
【００７２】
眼鏡本体１０のヨロイ１５Ｌの前面には、テンプル１７Ｌ方向に延びる貫通孔３１Ｌが形成されている。一方、補助眼鏡５０のヨロイ５５Ｌの、眼鏡本体１０のヨロイ１５Ｌの前面と対向する部分には、貫通孔３１Ｌに嵌合可能な凸部９１Ｌが形成されている。そして、この凸部９１が貫通孔３１Ｌに嵌合されることにより、補助眼鏡５０は眼鏡本体１０に係止される。即ち、貫通孔３１Ｌと、凸部９１Ｌとによって、係止部の役割を果たしている。
【００７３】
また、ヨロイ５５Ｌに形成された凸部９１Ｌには、眼鏡本体１０に補助眼鏡５０を装着させた際に、眼鏡本体１０のヨロイ１５Ｌを吸着する磁石５８Ｌが、凸部９１Ｌの図９でいう上下表面にから露出された状態で埋設されている。この凸部９１Ｌは、貫通孔３１Ｌに挿入される（嵌合される）ことにより、補助眼鏡５０を眼鏡本体１０に対して位置合わせするよう構成されている。すなわち、凸部９１Ｌは、眼鏡本体１０に対し補助眼鏡５０を所定の装着位置に誘導するガイド部の役割も果たしている。
【００７４】
この構成を備えた着脱式眼鏡５は、補助眼鏡５０を眼鏡本体１０に装着させる際に、眼鏡本体１０のヨロイ１５Ｌに形成された貫通孔３１Ｌに、補助眼鏡５０のヨロイ５５Ｌに形成された凸部９１Ｌを嵌合させると、補助眼鏡５０は所望位置に誘導されながら、眼鏡本体１０に係止されると共に、磁石５８Ｌがヨロイ１５Ｌを吸着する。したがって、補助眼鏡５０は、眼鏡本体１０に確実に安定して取付けられることになる。
【００７５】
なお、ヨロイ５５Ｌの凸部８５Ｌ及び８６Ｌの表面には、前記と同様に、樹脂等を薄く塗布する等して、樹脂膜を形成してもよい。
【００７６】
なお、実施例５では、眼鏡本体１０のヨロイ１５Ｌに貫通孔３１Ｌを形成し、補助眼鏡５０のヨロイ５５Ｌに、貫通孔３１に嵌合される凸部９１Ｌを形成した場合について説明したが、これに限らず、補助眼鏡５０のヨロイ５５Ｌに貫通孔３１Ｌを形成し、眼鏡本体１０のヨロイ１５Ｌに、貫通孔３１に嵌合される凸部９１Ｌを形成してもよい。
【図面の簡単な説明】
【００７７】
【図１】本発明の実施例１にかかる着脱式眼鏡の斜視図であって、眼鏡本体から補助眼鏡を取外した状態を示す図である。
【図２】本発明の実施例１にかかる着脱式眼鏡の斜視図であって、眼鏡本体に補助眼鏡を装着した状態を示す図である。
【図３】図１に示す着脱式眼鏡の左側の一部を拡大して示す斜視図である。
【図４】本発明の実施例２にかかる着脱式眼鏡の左側の一部を拡大して示す斜視図である。
【図５】本発明の実施例３にかかる着脱式眼鏡の左側の一部を拡大して示す斜視図である。
【図６】本発明の実施例４にかかる着脱式眼鏡の左側の一部を拡大して示す斜視図である。
【図７】本発明の他の実施例にかかる着脱式眼鏡の左側の一部を拡大して示す斜視図である。
【図８】本発明の実施例５にかかる着脱式眼鏡を構成する眼鏡本体の左側の一部を示す斜視図である。
【図９】本発明の実施例５にかかる着脱式眼鏡の左側の一部を拡大して示す斜視図である。
【符号の説明】
【００７８】
１、２、３、４、５    着脱式眼鏡
１０    眼鏡本体
１５Ｌ、１５Ｒ    ヨロイ
５０    補助眼鏡
５５Ｌ、５５Ｒ    ヨロイ
５８Ｌ    磁石
【図１】
2005031553.tif 000003
【図２】
2005031553.tif 000004
【図３】
2005031553.tif 000005
【図４】
2005031553.tif 000006
【図５】
2005031553.tif 000007
【図６】
2005031553.tif 000008
【図７】
2005031553.tif 000009
【図８】
2005031553.tif 000010
【図９】
2005031553.tif 000011